【事件の表示】
　特許第５８００５４５号発明「スライムを抑制する方法」の特許異議申立事件について、次のとおり決定する。
【結　論】
　特許第５８００５４５号の特許請求の範囲を訂正請求書に添付された特許請求の範囲のとおり訂正後の請求項〔１−６〕について訂正することを認める。
　特許第５８００５４５号の請求項１〜６に係る特許を維持する。
【理　由】
１．手続の経緯
　特許第５８００５４５号の請求項１〜６に係る特許についての出願は、平成２３年３月２９日に出願され（優先権主張　平成２２年３月３０日、日本国）、平成２７年９月４日にその特許権の設定登録がされ、その後、その特許について、特許異議申立人柏木里実（以下「申立人」という。）により特許異議の申立てがされ、平成２８年６月２９日付けで取消理由が通知され、その指定期間内である平成２８年９月２日に意見書の提出及び訂正の請求（以下「前回訂正請求」という。）があり、その訂正の請求に対して申立人から平成２８年１０月５日に意見書が提出されたものである。
　その後、平成２８年１０月３１日付けで取消理由が通知され、その指定期間内である平成２８年１２月１４日に意見書の提出及び訂正の請求（以下「本件訂正請求」という。）があり、本件訂正請求は、平成２９年１月１３日に手続補正書により補正され、その補正された本件訂正請求に対して申立人から平成２９年２月２３日に意見書が提出されたものである。
　
２．訂正の適否についての判断 
（１）訂正の内容 
　本件訂正請求による訂正の内容は、以下のア〜イのとおりである。
ア　訂正事項１
　特許請求の範囲の請求項１に
「前記酸化還元電位の測定箇所は、前記原料系から、前記回収系に向けた水の流れにおいて、前記添加箇所と同一又は異なる系においてより上流側の任意の箇所であり、」とあるのを 
「前記酸化還元電位の測定箇所は、前記原料系から、前記回収系に向けた水の流れにおいて、前記添加箇所と同一又は異なる系において
前記添加箇所
も
イ　訂正事項２
　特許請求の範囲の請求項４に
「酸化還元電位を測定し、その測定値に基づいて前記酸化性殺菌剤の添加量を調節する工程と、を有し、
　前記測定箇所は、紙原料からパルプを製造する原料系を含み、
　前記添加箇所は、前記パルプを調成し抄紙する調成・抄紙系を含む」とあるのを 
 「酸化還元電位を測定し、その測定値に基づいて前記酸化性殺菌剤の添加量を調節する工程と、を有し、
 
 前記製紙系は、紙原料からパルプを製造する原料系、前記パルプを調成し抄紙する調成・抄紙系、前記調成・抄紙系から白水を回収する回収系を備え、
　前記酸化還元電位の測定箇所は、前記原料系から、前記回収系に向けた水の流れにおいて、前記添加箇所と同一又は異なる系において前記添加箇所よりも上流側の任意の箇所であり、
前記測定箇所は、紙原料からパルプを製造する
前記
　前記添加箇所は、前記パルプを調成し抄紙する
前記
　
（２）訂正の目的の適否、新規事項の有無、及び特許請求の範囲の拡張・変更の存否 
ア　訂正事項１について
　訂正事項１は、明細書の段落【００２８】の「本発明に係るスライム抑制方法は、添加箇所よりも上流に位置する測定箇所において酸化還元電位を測定し、その測定値に基づいて酸化性殺菌剤の添加量を調節する工程を有する。測定箇所における酸化還元電位の測定値は、添加箇所の環境変化を高度にかつ事前に反映するため、その測定値に基づいて調節された量の酸化性殺菌剤を添加箇所に添加することで、効率的にスライムを抑制することができる。・・・」の記載に基づき、請求項１の「前記酸化還元電位の測定箇所は、前記原料系から、前記回収系に向けた水の流れにおいて、前記添加箇所と同一又は異なる系においてより上流側の任意の箇所であり、」を、「前記酸化還元電位の測定箇所は、前記原料系から、前記回収系に向けた水の流れにおいて、前記添加箇所と同一又は異なる系において前記添加箇所よりも上流側の任意の箇所であり、」と前記酸化還元電位の測定箇所の位置を限定するもので、特許請求の範囲の減縮を目的とし、新規事項の追加に該当せず、実質上特許請求の範囲を拡張し、又は変更するものでもない。 
イ　訂正事項２について
　訂正事項２は、明細書の段落【００１７】の「製紙系１０は、原料系２０、調成・抄紙系３０、回収系４０、薬注系５０、及び制御系６０を備える。」の記載及び【００２８】の「本発明に係るスライム抑制方法は、添加箇所よりも上流に位置する測定箇所において酸化還元電位を測定し、その測定値に基づいて酸化性殺菌剤の添加量を調節する工程を有する。測定箇所における酸化還元電位の測定値は、添加箇所の環境変化を高度にかつ事前に反映するため、その測定値に基づいて調節された量の酸化性殺菌剤を添加箇所に添加することで、効率的にスライムを抑制することができる。・・・」の記載に基づき、請求項１の「酸化還元電位を測定し、その測定値に基づいて前記酸化性殺菌剤の添加量を調節する工程と、を有し、前記測定箇所は、紙原料からパルプを製造する原料系を含み」を、「前記製紙系は、紙原料からパルプを製造する原料系、前記パルプを調成し抄紙する調成・抄紙系、前記調成・抄紙系から白水を回収する回収系を備え、前記酸化還元電位の測定箇所は、前記原料系から、前記回収系に向けた水の流れにおいて、前記添加箇所と同一又は異なる系において前記添加箇所よりも上流側の任意の箇所であり、前記測定箇所は、紙原料からパルプを製造する前記原料系を含み、前記添加箇所は、前記パルプを調成し抄紙する前記調成・抄紙系を含む」と前記酸化還元電位の測定箇所の位置を限定するもので、特許請求の範囲の減縮を目的とし、新規事項の追加に該当せず、実質上特許請求の範囲を拡張し、又は変更するものでもない。 
　
（３）一群の請求項について
　本件訂正は、訂正前の請求項１と、請求項１を直接あるいは間接に引用する請求項２、３、５、６と、訂正前の請求項４と、請求項４を直接あるいは間接に引用する請求項５、６とを対象とするものであるから、本件訂正は、請求項１〜６について、一群の請求項ごとに請求されたものである。 
　
（４）小括 
　以上のとおりであるから、本件訂正請求による訂正は特許法第１２０条の５第２項ただし書第１号に掲げる事項を目的とするものであり、かつ、同条第４項、及び同条第９項において準用する同法第１２６条第４項から第６項までの規定に適合するので、訂正後の請求項〔１〜６〕について訂正を認める。 
　
３．本件発明
　本件訂正請求により訂正された訂正請求項１〜６に係る発明（以下、「本件発明１〜６」という。）は、その特許請求の範囲の請求項１〜６に記載された次の事項により特定されるとおりのものであると認める。
「【請求項１】
　紙原料から抄紙を行う水系におけるスライムを抑制する方法であって、
　製紙系が稼働している間、
　酸化性殺菌剤を前記水系の添加箇所に添加する工程と、
　酸化還元電位を測定し、その測定値に基づいて前記酸化性殺菌剤の添加量を調節する工程と、を有し、
　前記製紙系は、紙原料からパルプを製造する原料系、前記パルプを調成し抄紙する調成・抄紙系、前記調成・抄紙系から白水を回収する回収系を備え、
　前記酸化還元電位の測定箇所は、前記原料系から、前記回収系に向けた水の流れにおいて、前記添加箇所と同一又は異なる系において前記
添加箇所
も
　前記測定箇所は、前記原料系又は前記回収系を含む方法。
【請求項２】
　前記測定箇所は、前記原料系を含み、
　前記添加箇所は、前記調成・抄紙系を含む請求項１記載の方法。
【請求項３】
　前記測定箇所は、前記原料系及び前記調成・抄紙系を含み、
　前記添加箇所は、前記回収系を含む請求項１記載の方法。
【請求項４】
　紙原料から抄紙を行う水系におけるスライムを抑制する方法であって、
　酸化性殺菌剤を前記水系の添加箇所に添加する工程と、
　酸化還元電位を測定し、その測定値に基づいて前記酸化性殺菌剤の添加量を調節する工程と、を有し、
　
前記製紙系は、紙原料からパルプを製造する原料系、前記パルプを調成し抄紙する調成・抄紙系、前記調成・抄紙系から白水を回収する回収系を備え、
　前記酸化還元電位の測定箇所は、前記原料系から、前記回収系に向けた水の流れにおいて、前記添加箇所と同一又は異なる系において前記添加箇所よりも上流側の任意の箇所であり、
前記測定箇所は、紙原料からパルプを製造する
前記
　前記添加箇所は、前記パルプを調成し抄紙する
前記
【請求項５】
　製紙系は、紙原料からパルプを製造する原料系、前記パルプを調成し抄紙する調成・抄紙系、前記調成・抄紙系から白水を回収する回収系を備え、
　前記添加箇所は、互いに異なる複数の箇所であり、
　前記測定箇所は、前記原料系から、前記回収系に向けた水の流れにおいて、前記添加箇所と同一又は異なる系においてより上流側の任意の箇所である請求項１から４いずれか記載の方法。
【請求項６】
　前記酸化性殺菌剤の添加量を、所定の下限値以上に維持する請求項１から５いずれか記載の方法。」
　
４．取消理由の概要
　訂正前の請求項１〜６に係る特許に対して平成２８年６月２９日付けで特許権者に通知した取消理由の要旨は、次のとおりである。なお、特許異議申立書に記載された特許異議申立理由は、すべて通知した。
　本件特許の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　　　　　　　　　　　　記  
 甲第１号証：特開２００６−３４６６４０号公報
 甲第２号証：鈴木裕之外５名、“ファジサイト○Ｒの系内清浄化作用による生産性向上”、紙パ技協誌、紙パルプ技術協会、２００８年１１月１日発行、第６２巻、第１１号、１９−２４頁 
 甲第３号証：前嶋昭宏、“ＯｘｉＰＲＯＴＭテクノロジー−革新的デポジットコントロールによる抄紙マシン操業効率の最大化−”、紙パ技協誌、紙パルプ技術協会、２００９年９月１日発行、第６３巻、第９号、９−１２頁 
 甲第４号証：黒瀬茂外２名、“抄紙マシンのクローズド化とウエットエンドコンディション”、紙パ技協誌、紙パルプ技術協会、２００４年２月１日発行、第５８巻、第２号、１５−２６頁 
 甲第５号証：特開２００５−２０５３５４号公報 
 　  
（１）請求項１に係る発明（以下「本件特許発明１」という。以下同様。）について  
　本件特許発明１は、甲１発明、甲第２号証に記載された事項及び周知技術（甲第２号証〜甲第４号証）に基づいて当業者が容易に発明をすることができたものである。  
 　 
（２）本件特許発明２、３について  
　本件特許発明２、３は、甲１発明、甲第２号証に記載された事項及び周知技術（甲第２号証〜甲第４号証）に基づいて当業者が容易に発明をすることができたものである。  
 　 
（３）本件特許発明４について  
　本件特許発明４は、甲１発明、甲第２号証に記載された事項及び周知技術（甲第２号証〜甲第４号証）に基づいて当業者が容易に発明をすることができたものである。  
 　 
（４）本件特許発明５について  
　本件特許発明５は、甲１発明、甲第２号証に記載された事項、甲第５号証に記載された事項及び周知技術（甲第２号証〜甲第４号証）に基づいて当業者が容易に発明をすることができたものである。  
 　 
（５）本件特許発明６について  
　本件特許発明６は、甲１発明、甲第２号証に記載された事項、甲第５号証に記載された事項及び周知技術（甲第２号証〜甲第４号証）に基づいて当業者が容易に発明をすることができたものである。 
　
　前回訂正請求により訂正された請求項１〜６に係る特許に対して平成２８年１０月３１日付けで特許権者に通知した取消理由の要旨は、次のとおりである。
　前回訂正請求により訂正された請求項４〜６に係る発明（以下「本件訂正発明４〜６」という。）は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。  
 　　　　　　　　　　　　　　　　記  
 甲第１号証〜甲第５号証（平成２８年６月２９日付けで特許権者に通知した取消理由と同じ） 　  
（１）本件訂正発明４について  
　本件訂正発明４は、甲１発明、甲第２号証に記載された事項及び周知技術（甲第２号証〜甲第４号証）に基づいて当業者が容易に発明をすることができたものである。  
　
（２）本件訂正発明５について  
　請求項４を引用する本件訂正発明５は、甲１発明、甲第２号証に記載された事項、甲第５号証に記載された事項及び周知技術（甲第２号証〜甲第４号証）に基づいて当業者が容易に発明をすることができたものである。  
　
（３）本件訂正発明６について  
　請求項４を直接又は間接的に引用する本件訂正発明６は、甲１発明、甲第２号証に記載された事項、甲第５号証に記載された事項及び周知技術（甲第２号証〜甲第４号証）に基づいて当業者が容易に発明をすることができたものである。 
　
５．刊行物の記載
（１）甲第１号証（特開２００６−３４６６４０号公報）には、以下の事項が記載されている。
　「【特許請求の範囲】
【請求項１】
  酸化性殺菌剤を添加してスライムコントロールを行っている水系において、スライムコントロール効果を判定する方法であって、
  前記水系の少なくとも一箇所における酸化還元電位を連続もしくは間歇で測定することにより酸化還元電位の経時的推移を求めるステップと、
  該酸化還元電位の経時的推移が低下傾向にある場合に、スライムコントロール効果が不十分であることによりスライムの形成環境下にあると判定するステップと、
を含むことを特徴とするスライムコントロール効果の判定方法。」
　「【００１３】
  本発明においては、酸化性殺菌剤を添加してスライムコントロールを行っている水系において、ＯＲＰを測定し、ＯＲＰの経時的推移を調べ、この結果に基いてスライムコントロール効果を判定する。そして、スライムコントロール効果が不十分で、スライムの形成環境下にあると判定された場合には、酸化性殺菌剤の添加量を増量する。」
　「【００１５】
（１）  スライムコントロール処理対象水系にＯＲＰ測定点を設置する。ＯＲＰ測定点は１点でもよく、２点以上の複数点でも良い。２点以上の複数点設けた場合には、各側定点毎にＯＲＰの経時的推移を調べることにより、スライムの発生傾向にある箇所を特定することが可能となり、各測定点毎に個別かつ最適なスライムコントロール処理を行える。」
【００１６】
（２）  ＯＲＰ測定点でＯＲＰ測定を行って、ＯＲＰの経時的推移を調べる。測定結果は、データを蓄積することができるコントロールユニットに取り込み、自動的にＯＲＰの経時的推移を記録、出力することが好ましい。
【００１７】
（３）  ＯＲＰの経時的推移のベースとなるライン（酸化性殺菌剤無添加時の測定値のライン；例えば、後掲の図２（ａ）のＡのライン）に着目し、水系の運転開始当初のＯＲＰと比較して低下傾向にあるか否かを調べる。なお、ＯＲＰは、後掲の図２，３に示すように、推移しており、その低下傾向とは、例えば、薬剤添加前のＯＲＰ値が次第にもしくは急激な低下傾向を示すような状態をさす。
【００１８】
（４）  ＯＲＰの経時的推移が低下傾向にある場合には、酸化性殺菌剤の添加量を増量する。
　酸化性殺菌剤の添加量の増量は、例えば酸化性殺菌剤を一定の頻度で定期的に添加している系においては、酸化性殺菌剤を定期的に添加する際の注入時間の延長又は単位時間当たりの注入量の増量を行うことにより容易に実施することができる。また、一定期間内の酸化性殺菌剤の添加頻度を高めることにより行うこともできる。
　ＯＲＰを複数点で測定している場合には、ＯＲＰが低下傾向にある測定点に対してのみ、酸化性殺菌剤の添加量を増量すれば良く、酸化性殺菌剤を効率的に適用することができる。」
　「【００２８】
  具体的な実施条件及び実施方法は、次の通りであり、
［実施条件］
    対象水：上質紙抄紙水系の白水
    白水水温：２５〜４０℃
    白水ｐＨ：７．０〜８．０
    薬剤添加点：３点（白水サイロ１３、一次処理水タンク１６、回収原料タンク１７）
    ＯＲＰ測定箇所：３点（白水サイロ１３、一次処理水タンク１６、回収原料タンク
                    １７）
    酸化性殺菌剤：２．５重量％臭化アンモニウム水溶液９０重量部と１重量％次亜塩素
                  酸ナトリウム水溶液１７０重量部を添加直前に混合した混合液
［実施方法］
  各添加点への酸化性殺菌剤添加方法は、次の手順により、各添加点において各添加時に自動的に定められるものとした。なお、抄造開始前に各系に汚れ等の付着物がなく、また原料であるＮＢＫＰ、ＬＢＫＰ、回収原料タンク１７内の回収原料、一次処理水タンク内の貯留水のＯＲＰ値はプラスであることを予め確認した。本実施例におけるＯＲＰの経時的推移は図２（ａ）〜（ｄ）に示す通りである。」
　「【００３０】
  酸化性殺菌剤の添加は１日当たり４回（約６時間毎に）実施した（図２（ａ））。抄造開始から２日後からＯＲＰ値のベースラインの低下傾向が認められ始めた。４日目後半からは低下傾向が更に顕著となったため、薬剤添加時間を２０分に延長した。かかる添加時間の延長は、ベースラインが回復した７日目まで実施した。その後は再び添加時間を１５分へ戻した（図２（ｂ））。」
　上記段落【００２８】及び図２から、「薬剤添加点３点（白水サイロ１３、一次処理水タンク１６、回収原料タンク１７）及びＯＲＰ測定箇所３点（白水サイロ１３、一次処理水タンク１６、回収原料タンク１７）を備える、上質紙抄紙系水系」が看取できる。
　
　以上の記載によれば、甲第１号証には以下の発明（以下、「甲１発明」という。）が記載されていると認められる。
「上質紙抄紙系水系を対象として酸化還元電位（ＯＲＰ）に基づくスライムコントロール処理方法であって、
　製紙系が稼働している間、
  酸化性殺菌剤を前記水系の添加箇所に添加する工程と、
  酸化還元電位を測定し、その測定値に基づいて前記酸化性殺菌剤の添加量を調節する工程と、を有し、
  前記製紙系は、紙原料からパルプを製造する原料系、前記パルプを調成し抄紙する調成・抄紙系、前記調成・抄紙系から白水を回収する回収系を備え、
  前記添加箇所は、抄紙系及び回収系の複数箇所であり、前記酸化還元電位の測定箇所は、抄紙系及び回収系の複数箇所である、方法。」
　
（２）甲第２号証（「ファジサイト○Ｒの系内清浄化作用による生産性向上」）には、以下の事項が記載されている。
　「菌数が増加すると好気呼吸により酸素の消費が高まるのでＯＲＰが低下し更に菌数増加やスライム付着が進むと酸素が無くなり嫌気呼吸により硫化物等の還元体が増加してＯＲＰ値がマイナスを示すすようになるという原理である（図１）。」（２２頁左欄１９行〜２３行及び図１）
　「ファジサイト処理時の薬品添加前での菌数およびＯＲＰ測定結果を図５、表４に示す。連続操業期間中の菌レベルの変化は大きな変化はないが、ＯＲＰは、抄紙系内の全域操業後半に低下傾向を示し、スライムの増殖がＤＢチェストで顕著であることを示している。」（２２頁右欄下から４行〜２４頁左欄１行）
　２２頁の図３及び２４頁の図８には、原料系（ＤＢチェスト）、抄紙系（白水サイロ）及び回収系（クリア水）の酸化還元電位を測定し、それぞれの箇所でファジサイトを添加し、原料系（ＤＢチェスト）、抄紙系（白水サイロ）及び回収系（クリア水）の酸化還元電位をモニタリングする点が記載されている。
　また、２３頁の図５、表４からは、「原料系のうちドライブローク（ＤＢ）チェストでのＯＲＰが調製・抄紙系でのＯＲＰに比べて早く大きく低下したこと」が看取できる。
　
（３）甲第３号証（「ＯｘｉＰＲＯＴＭテクノロジー−革新的デポジットコントロールによる抄紙マシン操業効率の最大化−」）には、「原料系のうちコートブロックの配合率が高くなると白水の菌の活性度が高くなることが示唆されている」点が記載されている。
　
（４）甲第４号証（「抄紙マシンのクローズド化とウエットエンドコンディション」）には、「原料のＤＩＰやコートブロックの配合割合の増加が調製・抄紙系のスライムトラブルの要因となりうる」点が記載されている。　
　
（５）甲第５号証（特開２００５−２０５３５４号公報）には、以下の事項が記載されている。
　「【０００１】
　本発明は、各種工場の冷却用循環水系、又は紙・パルプ工場の抄紙工程循環白水系で問題となるスライム障害を防止する循環水系管理方法、及び循環水系管理システムに関するものである。」
　「【００４１】
　抄紙工程循環白水系１は、図１中にあって、時計回りに循環白水が流れており、図２に示されるように、ミキシングチェスト、マシンチェスト、種箱、ディキュレーター、ストックインレット、白水サイロ、ポリディスクフィルター、貯留タンク、及び複数のポンプ等を備えている。・・・」
　「【００４３】
　本実施形態例にあっては、図２に示されるように、マシンチェスト位置（殺微生物剤添加位置Ｘ）、白水サイロ位置（殺微生物剤添加位置Ｙ）、及びポリディスクフィルター位置（殺微生物剤添加位置Ｚ）に特定されている。」
　図２からは、マシンチェスト位置（殺微生物剤添加位置Ｘ）、白水サイロ位置（殺微生物剤添加位置Ｙ）、及びポリディスクフィルター位置（殺微生物剤添加位置Ｚ）の３つの殺微生物剤添加位置を看取できる。　
　
６．判断
（１）理由１（２９条第２項）について
ア．本件発明１
　本件発明１と甲１発明とを対比すると、少なくとも以下の相違点１で相違する。
　（相違点１）「酸化性殺菌剤の添加箇所と、酸化還元電位測定箇所」について、本件発明１では、「酸化還元電位の測定箇所は、前記原料系から、前記回収系に向けた水の流れにおいて、前記添加箇所と同一又は異なる系において前記添加箇所よりも上流側の任意の箇所であり、前記測定箇所は、紙原料からパルプを製造する前記原料系を含み、前記添加箇所は、前記パルプを調成し抄紙する前記調成・抄紙系を含む」のに対し、甲１発明では、「前記添加箇所は、抄紙系及び回収系の複数箇所であり、前記酸化還元電位の測定箇所は、抄紙系及び回収系の複数箇所である」点。
　相違点１を検討する。甲第１号証の段落【００１５】の「（１）  スライムコントロール処理対象水系にＯＲＰ測定点を設置する。ＯＲＰ測定点は１点でもよく、２点以上の複数点でも良い。２点以上の複数点設けた場合には、各側定点毎にＯＲＰの経時的推移を調べることにより、スライムの発生傾向にある箇所を特定することが可能となり、各測定点毎に個別かつ最適なスライムコントロール処理を行える。」との記載及び【００１８】の「・・・ＯＲＰを複数点で測定している場合には、ＯＲＰが低下傾向にある測定点に対してのみ、酸化性殺菌剤の添加量を増量すれば良く、酸化性殺菌剤を効率的に適用することができる。」との記載からみて、甲第１号証には、「前記添加箇所は、抄紙系及び回収系の複数箇所であり、前記酸化還元電位の測定箇所は、抄紙系及び回収系の複数箇所であ」っても、「添加箇所」と「（添加量を調節に使用する）酸化還元電位の測定箇所」は同じ箇所であるものしか、記載されていない。しかも、相違点１の「酸化還元電位の測定箇所は、前記原料系から、前記回収系に向けた水の流れにおいて、前記添加箇所と同一又は異なる系において前記添加箇所よりも上流側の任意の箇所であ」る点は、甲第２号証〜甲第４号証には記載も示唆もない。また、甲第２号証〜甲第４号証に記載されているように、「原料系が、抄紙系におけるスライム発生に関与している」ことが、抄紙系技術分野で知れていたとしても、それをもって、甲第２号証〜甲第４号証には、相違点１の「酸化還元電位の測定箇所は、前記原料系から、前記回収系に向けた水の流れにおいて、前記添加箇所と同一又は異なる系において前記添加箇所よりも上流側の任意の箇所であ」るに相当する具体的な技術手段が示されているとはいえない。
　そして、本件発明１は、相違点１に係る発明特定事項を有することにより、「酸化性殺菌剤の添加量を、その添加箇所よりも上流における酸化還元電位の測定値に基づいて調節するので、添加箇所がスライムを形成しやすい環境に変化する前に、適切な量の酸化性殺菌剤が添加され、これにより、添加箇所がスライムを形成しやすい環境に変化することが予防され、酸化性殺菌剤を用いてスライムを効率的に抑制できる」（本件特許明細書段落【００１４】）という作用効果を奏するものである。
　よって、本件発明１は、甲１発明、甲第２号証に記載された事項及び周知技術（甲第２号証〜甲第４号証）に基づいて、当業者が容易に発明をすることができたものではない。
　
イ．本件発明２、３
　本件発明２、３は、本件発明１の発明特定事項をすべてを含むものであるから、本件発明２、３は、本件発明１と同様の理由により、甲１発明、甲第２号証に記載された事項及び周知技術（甲第２号証〜甲第４号証）に基づいて、当業者が容易に発明をすることができたものではない。
　
ウ．本件発明４
　本件発明４と甲１発明とを対比すると、少なくとも以下の相違点２で相違する。
　（相違点２）「酸化性殺菌剤の添加箇所と、酸化還元電位測定箇所」について、本件発明４では、「酸化還元電位の測定箇所は、前記原料系から、前記回収系に向けた水の流れにおいて、前記添加箇所と同一又は異なる系において前記添加箇所よりも上流側の任意の箇所であり、前記測定箇所は、紙原料からパルプを製造する前記原料系を含み、前記添加箇所は、前記パルプを調成し抄紙する前記調成・抄紙系を含む」のに対し、甲１発明では、「前記添加箇所は、抄紙系及び回収系の複数箇所であり、前記酸化還元電位の測定箇所は、抄紙系及び回収系の複数箇所である」点。
　相違点２は、本件発明１で検討した上記相違点１と同じであるから、本件発明１と同様の理由により、本件発明４は、甲１発明、甲第２号証に記載された事項及び周知技術（甲第２号証〜甲第４号証）に基づいて、当業者が容易に発明をすることができたものではない。
　
エ．本件発明５、６
　本件発明５、６は、本件発明１又は本件発明４の発明特定事項をすべてを含むものであり、相違点１又は相違点２の「酸化還元電位の測定箇所は、前記原料系から、前記回収系に向けた水の流れにおいて、前記添加箇所と同一又は異なる系において前記添加箇所よりも上流側の任意の箇所であ」る点は、甲第５号証に記載も示唆もされていない。
　よって、本件発明５、６は、本件発明１又は本件発明４と同様の理由により、甲１発明、甲第２号証に記載された事項、甲第５号証に記載された事項、及び周知技術（甲第２号証〜甲第４号証）に基づいて、当業者が容易に発明をすることができたものではない。
　
７．申立人の意見について 
（１）申立人は、平成２９年２月２３日付け意見書「３（１）本件訂正請求により訂正された訂正請求項１に係る発明（以下、「本件訂正発明１」という。以下同様）について」において、以下の旨、主張しているから検討する。 
 　 
　本件訂正発明１の「前記酸化還元電位の測定箇所は、前記原料系から、前記回収系に向けた水の流れにおいて、前記添加箇所と同一又は異なる系において前記添加箇所よりも上流側の任意の箇所であり、」との記載は、「酸化性殺菌剤の添加量を調節に使用する酸化還元電位の測定箇所」を「添加箇所よりも上流側」のみに限定したものとはいえず、本件訂正発明１は、複数の測定箇所で測定された酸化還元電位の測定値に基づき添加量を調整することを含むので、ＯＲＰの測定を異なる複数の箇所で行っている、甲第１号証〜甲第３号証から容易に発明できたものである。
 　 
　しかし、本件特許明細の段落【００３０】の「測定箇所は、添加箇所よりも上流である限りにおいて、特に限定されない。ここで、上流とは、添加箇所よりも上流の系（原料系２０、調成・抄紙系３０、回収系４０のうち添加箇所と異なる系）であることに限られず、添加箇所と同じ系における上流部分であることも包含する。例えば、図１のように添加箇所が回収系４０の回収水タンク４３である場合、それに対応する測定箇所は、原料系２０及び調成・抄紙系３０の任意の部分であってもよく、回収系４０のうちシールピット４１又は回収装置４２であってもよい。・・・」との記載及び【００３１】の「ここで、添加箇所は、水系全体におけるスライムをより確実に抑制する観点で、互いに異なる複数の箇所であることが好ましく、この場合における測定箇所は、複数の添加箇所のうち少なくとも、対応する添加箇所より上流に位置すればよい。・・・」との記載を考慮すれば、本件訂正発明１は、請求項１の「前記酸化還元電位の測定箇所は、前記原料系から、前記回収系に向けた水の流れにおいて、前記添加箇所と同一又は異なる系において前記添加箇所よりも上流側の任意の箇所であり、」の記載から、「酸化性殺菌剤の添加量を調節に使用する酸化還元電位の測定箇所」の少なくとも一つが「添加箇所よりも上流側」にありさえすれば、本件訂正発明の課題を解決するものであることは、明らかである。そうすると、請求項１の記載を「酸化性殺菌剤の添加量を調節に使用する酸化還元電位の測定箇所」を「添加箇所よりも上流側」のみに限定する理由はない。そして、「酸化性殺菌剤の添加量を調節に使用する酸化還元電位の測定箇所」が「添加箇所よりも上流側」にあることは、甲第１号証〜甲第３号証には、記載されていない（例えば、甲第１号証に記載されたものは、酸化還元電位の測定箇所と（酸化性殺菌剤の添加量を調節に使用する）酸化還元電位の添加箇所とは同じ箇所である。）。
　以上のとおり、本件訂正発明１は、甲第１号証〜甲第３号証から容易に発明できたものとはいえない。
　よって、本件訂正発明１についての上記申立人の意見を採用することはできない。 
 　 
　なお、「意見書３（１）イ」については、上記「６．（２）イ．」で、既に判断している。 
　
（２）また、「３（２）本件訂正請求４について」において主張している申立人の意見は、上記「７．（１）」で述べた本件訂正発明１についてと同様の理由により、採用することはできない。 
　
８．むすび 
　上記６．に示したとおり、本件訂正請求により訂正された請求項１〜６に係る特許は、特許異議申立書に記載された特許異議申立理由を全て含む、取消理由通知に記載した取消理由によっては、取り消すことができない。 
　また、他に本件訂正請求により訂正された請求項１〜６に係る特許を取り消すべき理由を発見しない。
　よって、結論のとおり決定する。
【異議決定日】
平成２９年５月１９日（２０１７．５．１９）
【訂正の要旨】
審決（決定）の【理由】欄参照。
（５７）【特許請求の範囲】
　【請求項１】
　紙原料から抄紙を行う水系におけるスライムを抑制する方法であって、
　製紙系が稼働している間、
　酸化性殺菌剤を前記水系の添加箇所に添加する工程と、
　酸化還元電位を測定し、その測定値に基づいて前記酸化性殺菌剤の添加量を調節する工程と、を有し、
　前記製紙系は、紙原料からパルプを製造する原料系、前記パルプを調成し抄紙する調成・抄紙系、前記調成・抄紙系から白水を回収する回収系を備え、
　前記酸化還元電位の測定箇所は、前記原料系から、前記回収系に向けた水の流れにおいて、前記添加箇所と同一又は異なる系において
前記添加箇所
も
　前記測定箇所は、前記原料系又は前記回収系を含む方法。
　【請求項２】
　前記測定箇所は、前記原料系を含み、
　前記添加箇所は、前記調成・抄紙系を含む請求項１記載の方法。
　【請求項３】
　前記測定箇所は、前記原料系及び前記調成・抄紙系を含み、
　前記添加箇所は、前記回収系を含む請求項１記載の方法。
　【請求項４】
　紙原料から抄紙を行う水系におけるスライムを抑制する方法であって、
　酸化性殺菌剤を前記水系の添加箇所に添加する工程と、
　酸化還元電位を測定し、その測定値に基づいて前記酸化性殺菌剤の添加量を調節する工程と、を有し、
　
製紙系は、紙原料からパルプを製造する原料系、前記パルプを調成し抄紙する調成・抄紙系、前記調成・抄紙系から白水を回収する回収系を備え、
　
前記酸化還元電位の測定箇所は、前記原料系から、前記回収系に向けた水の流れにおいて、前記添加箇所と同一又は異なる系において前記添加箇所よりも上流側の任意の箇所であり、
　前記測定箇所は、紙原料からパルプを製造する
前記
　前記添加箇所は、前記パルプを調成し抄紙する
前記
　【請求項５】
　製紙系は、紙原料からパルプを製造する原料系、前記パルプを調成し抄紙する調成・抄紙系、前記調成・抄紙系から白水を回収する回収系を備え、
　前記添加箇所は、互いに異なる複数の箇所であり、
　前記測定箇所は、前記原料系から、前記回収系に向けた水の流れにおいて、前記添加箇所と同一又は異なる系においてより上流側の任意の箇所である請求項１から４いずれか記載の方法。
　【請求項６】
　前記酸化性殺菌剤の添加量を、所定の下限値以上に維持する請求項１から５いずれか記載の方法。